(57)【特許請求の範囲】
【請求項１】
表壁と裏壁を有する中空二重壁構造のコンテナであって、
溶融状態のパリソン若しくは樹脂シートでなるコンテナの表壁と裏壁の間には予め成形して内部に無線タグを固定した発泡体が内装されるとともに、
前記発泡体が前記表壁と裏壁の内面に溶着されている
ことを特徴とする折り畳み可能なコンテナ。
【請求項２】
表壁と裏壁を有する中空二重壁構造の樹脂製パネルからなる組立式のコンテナであって、
樹脂製パネルにはその全周に溶着部を有し、
中空部内には中空部内空間と略同一形状に予め成形して内部に無線タグを固定した発泡体が内装されるとともに、
前記発泡体が樹脂製パネルの表壁と裏壁の内壁面に溶着されている
ことを特徴とする組立式のコンテナ。
【請求項３】
底壁の各辺に起倒自在に連結された対向する一対の側壁と対向する他の一対の側壁を有し、
一対の側壁を底壁の上面に対向して折り畳み、
かつ他方の一対の側壁を折り畳んだ一対の側壁の上に重ねて折り畳むように構成され、
各側壁を起立させた状態で上面が開放した箱形の容器を形成する組立式のコンテナである
ことを特徴とする請求項２記載の組立式のコンテナ。
【請求項４】
表壁と裏壁を有する中空二重壁構造のコンテナの製造方法であって、
分割金型間に溶融状態のパリソン若しくは樹脂シートを配置し、
予め成形した発泡体の内部に無線タグを固定させた後、
当該発泡体を分割金型間に配置させて型締めを行い、
溶融状態のパリソン若しくは樹脂シートの内面と発泡体の外面を溶着させる
ことを特徴とするコンテナの製造方法。
【発明の詳細な説明】
【技術分野】
【０００１】
本発明は、表壁と裏壁を有する中空二重壁構造のコンテナ、特に繰り返し使用が可能な表壁と裏壁を有する中空二重壁構造の樹脂製パネルからなる組立式の折り畳みコンテナであって、コンテナの中空部内に無線タグを配置してある構成のコンテナおよびその製造方法に関するものである。
【背景技術】
【０００２】
物品の収納や運搬等のために使用されるコンテナはその内容物の管理情報を外部から読み取りおよび書き込みすることが要求され、さらにコンテナのリターナブルシステムおいては、コンテナの製造者、製造年月日、製造者からの納入先、納入年月日、被収容物の種類、製造者、製造年月日、製品の納入先、製品の納入年月日、空になったコンテナの回収者、回収年月日、洗浄者、洗浄年月日等の再生処理事項、再生したコンテナの再納入先、再納入年月日などの履歴情報を逐次記録しておくことが望ましく、その履歴情報を各流通段階で簡便かつ的確に記録し、また読み出すことのできることが要請される。このため、コンテナの一部に無線情報記憶媒体などの無線タグを埋め込んだものが用いられるようになってきた（特開２０００−６５６３公報、特開２００３−３２１０６３公報参照）。
【０００３】
また、無線タグをコンテナに固定する場合、無線タグをコンテナの外表面に貼着するとコンテナの複数回の使用により剥がれ、汚れ、破損、さらには水分、金属などが接触した場合には電波が阻害されるため機能が低下することとなる。そこで、無線タグが外面に露出しないよう無線タグをインレット基材で覆った状態で（特開２００２−３５５８４７公報参照）、保護容器内に収納して（特開２００５−７５４２３公報参照）、コンテナに固定することがなされていた。
【特許文献１】特開２０００−６５６３公報
【特許文献２】特開２００３−３２１０６３公報
【特許文献３】特開２００２−３５５８４７公報
【特許文献４】特開２００５−７５４２３公報
【発明の開示】
【発明が解決しようとする課題】
【０００４】
しかし、このようなコンテナにあっては成形上ＩＣタグを配置する位置が制限され適宜コンテナの所望の位置にＩＣタグを配置することが困難な場合がある。さらに、ＩＣタグは外部に露出しないが、インレット基材、保護容器等は外部に露出するため、その外観が損なわれる問題があった。
【０００５】
そこで、本発明は、表壁と裏壁を有する中空二重壁構造のコンテナの中空部内に無線タグを配置するものであって、無線タグを中空部内に内装される予め成形した発泡体の内部に固定した状態でコンテナを成形することでＩＣタグの剥がれ、汚れ、破損、さらには水分、金属などの接触による機能低下のないリターナブル可能なコンテナを得るものである。ここで、無線タグとは、ＩＣタグまたはＲＦＩＤタグと呼ばれる非接触型の情報記憶媒体で、各種の物品に取付けてその管理情報、履歴情報等を電波を用いて読み取り、書き込みを行うことができるものである。
【課題を解決するための手段】
【０００６】
上記目的を達成するため本発明は、請求項１ないし３に係るコンテナおよび請求項４に係るコンテナの製造方法を提供する。すなわち、請求項１に係る折り畳み可能なコンテナは、表壁と裏壁を有する中空二重壁構造のコンテナであって、溶融状態のパリソン若しくは樹脂シートでなるコンテナの表壁と裏壁の間には予め成形して内部に無線タグを固定した発泡体が内装されるとともに、前記発泡体が前記表壁と裏壁の内面に溶着されていることを特徴とするものである。
【０００７】
本発明の請求項２に係る組立式のコンテナは、表壁と裏壁を有する中空二重壁構造の樹脂製パネルからなる組立式のコンテナであって、樹脂製パネルにはその全周に溶着部を有し、中空部内には中空部内空間と略同一形状に予め成形して内部に無線タグを固定した発泡体が内装されるとともに、前記発泡体が樹脂製パネルの表壁と裏壁の内壁面に溶着されていることを特徴とするものである。
【０００８】
本発明の請求項３に係る組立式のコンテナは、請求項２記載の構成において、底壁の各辺に起倒自在に連結された対向する一対の側壁と対向する他の一対の側壁を有し、一対の側壁を底壁の上面に対向して折り畳み、かつ他方の一対の側壁を折り畳んだ一対の側壁の上に重ねて折り畳むように構成され、各側壁を起立させた状態で上面が開放した箱形の容器を形成する組立式のコンテナであることを特徴とするものである。
【０００９】
本発明の請求項４に係るコンテナの製造方法は、表壁と裏壁を有する中空二重壁構造のコンテナの製造方法であって、分割金型間に溶融状態のパリソン若しくは樹脂シートを配置し、予め成形した発泡体の内部に無線タグを固定させた後、当該発泡体を分割金型間に配置させて型締めを行い、溶融状態のパリソン若しくは樹脂シートの内面と発泡体の外面を溶着させることを特徴とするものである。
【発明の効果】
【００１０】
本発明によれば、表壁と裏壁を有する中空二重壁構造のコンテナの中空部内に無線タグを配置するものであって、無線タグを中空部内に内装される予め成形した発泡体の内部に固定した状態でコンテナを成形することでＩＣタグの剥がれ、汚れ、破損、さらには水分、金属などの接触による機能低下のないリターナブル可能なコンテナを得ることができる。
【発明を実施するための最良の形態】
【００１１】
図１は折り畳み可能な組立式のコンテナを示す一部破断斜視図である。
【００１２】
図１において、組立式のコンテナ１は、底壁２に対して四面の側壁３が起倒自在に軸止めにより取り付けられており、互いに隣接する側壁３はラッチ４によって係脱自在に連結されている。四面の側壁３はその一対の側壁を折り畳み、さらにその上に他の一対の側壁を重ねて折り畳むように構成される。組立式のコンテナ１は、四面の側壁３を起立させた状態で上面が開放した箱形の容器を形成するものである。底壁２および側壁３は、表壁５と裏壁６を有する中空二重壁構造の樹脂製パネル７からなり、樹脂製パネル７はその全周に溶着部を有し、中空部８内には中空部内空間と略同一形状に予め成形された発泡体９が内装されている。発泡体９の少なくとも１つ、図示の実施の形態では側壁３の１つの発泡体９には凹部１０を形成して無線タグ１１が埋め込み状に固定されている。発泡体９は樹脂製パネル７の表壁５と裏壁６の内壁面に溶着されている。
【００１３】
なお、ここでコンテナとは物品を収納、運搬等するために使用されるものであって、特に複数回使用可能な箱形、トレイ形状の所謂リターナブル容器であって、組立式のコンテナは上記説明した構成に限らず、底壁と側壁を互いに薄肉状のヒンジを介して一体に連結した構成とすることも可能である。薄肉状のヒンジにより構成するものにあっては底壁および側壁を重ねて折り畳むことなく外方に展開状として外開きとすることができる。
【００１４】
図２ないし図８は、図１に示す組立式のコンテナ１を構成する発泡体９を内装した樹脂製パネル７のブロー成形態様が工程順に示しており、各図はいずれも断面図である。
【００１５】
図２に示すように、樹脂押出ヘッド１２から押し出される一対のシート状パリソン１３，１３は、分割金型１４，１４間に配置される。分割金型１４，１４は真空成形する凹状のキャビティ１５，１５を有しており、１６はその真空吸引間隙を形成する接触面であって真空チャンバー１７に連通している。１８は中枠であって、この中枠１８は分割金型１４，１４のキャビティ１５，１５に対向する加熱面１９，１９を有する胴部２０とキャビティ１５，１５の周囲に対して突出可能な移動枠２１，２１を備えている。ここで、コンテナの表壁および裏壁を構成する熱可塑性樹脂は、ブロー成形が可能なものであればよく、ポリエチレン樹脂、ポリプロピレン樹脂、エチレン−酢酸ビニル共重合体、塩化ビニル樹脂、ＡＢＳ樹脂（アクリロニトリル−スチレン−ブタジエン樹脂）、ポリアミド樹脂、ポリスチレン樹脂、ポリエステル樹脂、ポリカーボネート樹脂、変性ポリフェニレンエーテル等のエンジニアリング・プラスチックなどが好適であり、適宜にガラス繊維、カーボンファイバー、炭酸カルシウム、タルク、マイカなどの充填材を添加することができる。
【００１６】
図２に示すように、分割金型１４，１４を開いてその中間位置に中枠１８を配置しておき、中枠１８とキャビティ１５，１５の間にそれぞれシート状パリソン１３，１３を配置する。次いで図３に示すように、分割金型１４，１４を移動枠２１，２１に接触するまで型締めし、キャビティ１５，１５の周囲との間にシート状パリソン１３，１３を挟持することによってキャビティ１５，１５とシート状パリソン１３，１３との間に閉鎖空間を形成する。次いで図４に示すように、この状態において上記閉鎖空間を接触面１６から真空吸引することによってシート状パリソン１３，１３キャビティ１５，１５に吸着させるとともに、図５に示すように分割金型１４，１４をさらに閉じて型内を外気から密閉し、中枠１８に設けられた吹込手段を介して加圧流体を導入してシート状パリソン１３，１３をキャビティ１５，１５に密着させる。次いで図６に示すように、分割金型１４，１４を開き、中枠１８を離脱させ、図７に示すように、分割金型１４，１４の一方のキャビティ１５に沿っているシート状パリソン１３の内面に、発泡体である予備成形体９を接合配置する。
【００１７】
上記発泡体９には、予め無線タグ１１を嵌合するための凹部１０が形成されており、この凹部１０に無線タグ１１を接着剤等の手段により固定し、この状態で図８に示すように、分割金型１４，１４を閉じるとともに一方のシート状パリソン１３に開孔を形成する刺し針２２をキャビティ１４面から突出させて発泡体９との間の空間を外気に通じさせて、一対のシート状パリソン１２，１２の内面に発泡体９を完全に溶着一体化させ、図１に示す組立式のコンテナ１の１つの側壁３を構成する樹脂製パネル７を得る。そして、分割金型１４，１４を閉じて中枠１８に設けられた吹込手段を介して加圧流体を導入する際には、中枠１８に設けられた加熱面１９，１９によってシート状パリソン１３，１３の内面は溶融状態に保たれるので、発泡体９は樹脂製パネル７の表壁５と裏壁６の内壁面に溶着される。
【００１８】
ここで、予め成形した発泡体９はコンテナの中空部内に内装されるものであり、コンテナの断熱性、剛性などの機能を付与するためのもので、ポリエチレン、ポリプロピレン、ポリスチレンなどからなり、表壁５、裏壁６を構成する熱可塑性樹脂と同材質であることが望ましい。また、発泡体９には適宜、ガラス繊維、カーボンファイバー、炭酸カルシウム、タルク、マイカなどの充填材を添加することができる。また、ここでブロー成形とは、筒状のパリソンまたは複数の樹脂シートを溶融押し出し若しくは予備成形した樹脂シートを過熱溶融させるとともに、分割金型間に配置して型締めを行うことにより所望の形状に成形するいわゆるダイレクトブロー成形またはシートブロー成形などをいい、エアの吹込みを伴うか否かについては問わないものである。
【００１９】
本発明によれば、分割金型間に溶融状態のパリソン若しくは樹脂シートを配置し、予め成形した発泡体の内部に無線タグを固定させた後、当該発泡体を分割金型間に配置させて型締めを行い、溶融状態のパリソン若しくは樹脂シートの内面と発泡体の外面を溶着させるので、無線タグは発泡体の内部で成形時の熱が発泡体により遮断され、成形時の熱により変形、破損等無線タグの劣化を防止することができる。
【図面の簡単な説明】
【００２０】
【図１】組立式のコンテナを示す一部を破断した斜視図である。
【図２】図１に示す組立式のコンテナを構成する予備成形体を内装した樹脂製パネルの成形態様を示し、分割金型を開き、中枠を配置し、一対のシート状パリソンを配置した工程を示す断面図である。
【図３】図２の状態から分割金型を中枠の移動枠に当接するまで閉じた状態を示す断面図である。
【図４】図３の状態から一対のシート状パリソンをキャビティに真空吸着させた状態を示す断面図である。
【図５】図４の状態から移動枠を押し下げながら分割金型を中枠に当接するまでさらに閉じ、中枠の吹込手段を介して加圧流体を導入してシート状パリソンをキャビティに密着させた状態を示す断面図である。
【図６】図５の状態から分割金型を開き、中枠を離脱させた状態を示す断面図である。
【図７】図６の状態から一方のキャビティに沿っているシート状パリソンの内面に予備成形体を接合配置した状態を示す断面図である。
【図８】図７の状態から分割金型を閉じて一対のシート状パリソンの内面に予備成形体を完全に溶着一体化させ状態を示す断面図である。
【符号の説明】
【００２１】
１  組立式のコンテナ
２  底壁
３  側壁
４  ラッチ
５  表壁
６  裏壁
７  樹脂製パネル
８  中空部
９  予備成形体
１０  凹部
１１  無線タグ
１２  樹脂押出ヘッド
１３，１３  シート状パリソン
１４，１４  分割金型
１５，１５  キャビティ
１６  接触面
１７  真空チャンバー
１８  中枠
１９，１９  加熱面
２０  胴部
２１  移動枠
２２  刺し針
【図１】
0004809952.tif 000002
【図２】
0004809952.tif 000003
【図３】
0004809952.tif 000004
【図４】
0004809952.tif 000005
【図５】
0004809952.tif 000006
【図６】
0004809952.tif 000007
【図７】
0004809952.tif 000008
【図８】
0004809952.tif 000009